(57)【要約】【課題】画像記録媒体に直流電圧を印加した状態で、画像情報の記録および読取りを行う画像情報記録読取装置において、読取りの際に、電源ノイズの重畳を防止し、読み取った画像信号のＳ／Ｎを向上する。【解決手段】スイッチ５２を閉状態として電源５３を用いて画像記録媒体１０へ直流電圧を印加しつつ、読取光Ｌ２、初期化光Ｌ３の照射により導電性を呈する第２光導電層４へ初期化光Ｌ３を照射して界面７を充電（初期化）し、記録光Ｌ１の照射により導電性を呈する第１光導電層２へ被写体７０を透過した記録光Ｌ１を照射して界面７を放電し、被写体７０の画像情報を界面７に静電潜像として記録する。スイッチ５２を開状態としてコンデンサ５８を用いて直流電圧を印加しつつ、第２光導電層４を読取光Ｌ２により照射して界面７を再充電し、この再充電電流を検出することにより前記静電潜像を信号として読み取る。【選択図】          図１
2004165870.tif 000002
【特許請求の範囲】
【請求項１】
画像情報を担持する記録光を透過する第１の電極層、前記記録光の照射を受けることにより導電性を呈する第１の光導電層、前記画像情報を静電潜像として記録する蓄電部、読取光または初期化光の照射を受けることにより導電性を呈する第２の光導電層、前記読取光および前記初期化光を透過する第２の電極層を、この順に有してなる画像記録媒体の前記第１の電極層と前記第２の電極層との間に直流電圧を印加した状態で、
前記初期化光により、前記第２の電極層を介して、前記第２の光導電層を照射して、前記蓄電部を初期化し、
前記記録光により、前記第１の電極層を介して、前記第１の光導電層を照射して、前記画像情報を前記蓄電部に静電潜像として記録し、
前記読取光により、前記第２の電極層を介して、前記第２の光導電層を照射して、前記静電潜像を信号として読み取る画像情報記録読取方法において、
前記静電潜像を読取る際には、前記画像記録媒体に蓄積された電荷を保持するコンデンサを用いて前記直流電圧を印加することを特徴とする画像情報記録読取方法。
【請求項２】
画像情報を担持する記録光を透過する第１の電極層、前記記録光の照射を受けることにより導電性を呈する第１の光導電層、前記画像情報を静電潜像として記録する蓄電部、読取光または初期化光の照射を受けることにより導電性を呈する第２の光導電層、前記読取光および前記初期化光を透過する第２の電極層を、この順に有してなる画像記録媒体と、
前記初期化光を前記画像記録媒体へ照射する初期化光照射手段と、
前記読取光を前記画像記録媒体へ照射する読取光照射手段と、
前記画像記録媒体の前記第１の電極層と前記第２の電極層との間に直流電圧を印加する電圧印加手段とを備えてなり、
該電圧印加手段により前記直流電圧を印加した状態で、
前記初期化光により、前記第２の電極層を介して、前記第２の光導電層を照射して、前記蓄電部を初期化し、
前記記録光により、前記第１の電極層を介して、前記第１の光導電層を照射して、前記画像情報を前記蓄電部に静電潜像として記録し、
前記読取光により、前記第２の電極層を介して、前記第２の光導電層を照射して、前記静電潜像を信号として読み取る画像情報記録読取装置において、
前記電圧印加手段が、電源手段と、前記画像記録媒体に蓄積された電荷を保持するコンデンサと、前記電源手段により前記画像記録媒体へ前記直流電圧を印加する第１の状態または前記コンデンサにより前記画像記録媒体へ前記直流電圧を印加する第２の状態を選択する選択手段とを有し、
該選択手段が、前記静電潜像を読取る際には、前記第２の状態を選択するものであることを特徴とする画像情報記録読取装置。
【請求項３】
前記画像情報記録読取装置が、前記電圧印加手段により前記直流電圧を印加した状態で、
前記初期化光により、前記第２の電極層を介して、前記第２の光導電層を照射して、前記蓄電部を充電することにより、前記蓄電部を初期化し、
前記記録光により、前記第１の電極層を介して、前記第１の光導電層を照射して、前記蓄電部を放電することにより、前記画像情報を前記蓄電部に静電潜像として記録し、
前記読取光により、前記第２の電極層を介して、前記第２の光導電層を照射して、前記蓄電部を再充電し、
この再充電電流を検出することにより、前記静電潜像を信号として読み取るものであり、
前記選択手段が、前記静電潜像を記録する際には、前記第１の状態を選択し、前記静電潜像を読取る際には、前記第２の状態を選択するものであることを特徴とする請求項２記載の画像情報記録読取装置。
【請求項４】
前記読取光照射手段が、前記初期化光照射手段を兼ねていることを特徴とする請求項２および３記載の画像情報記録読取装置。
【請求項５】
前記コンデンサの静電容量が、前記画像記録媒体の静電容量の１００倍以上であることを特徴とする請求項２から４いずれか１項記載の画像情報記録読取装置。
【発明の詳細な説明】
【０００１】
【発明の属する技術分野】
本発明は、照射された記録光に担持された画像情報を静電潜像として記録する画像記録媒体を用いて、画像情報の記録および読取りを行う画像情報記録読取方法および装置に関するものである。
【０００２】
【従来の技術】
従来より、照射された記録光に担持された画像情報を静電潜像として記録する画像記録媒体を用いる画像情報記録読取装置としては、例えばファクシミリ、複写機あるいは放射線撮像装置等が知られている。
【０００３】
例えば、医療用放射線撮影等においては、被験者の受ける被爆線量の減少、診断性能の向上等のために、Ｘ線等の放射線に感応するセレン板等の光導電体を有する画像記録媒体を用い、該画像記録媒体に被験者を透過した放射線を照射し、照射された放射線の線量に応じた量の電荷を画像記録媒体内に蓄積せしめることにより、放射線画像を静電潜像として記録すると共に、レーザビームあるいはライン光で放射線画像が記録された画像記録媒体を走査することにより、前記画像記録媒体から画像情報（静電潜像）を読み取る方法が知られている（例えば、特許文献１参照）。
【０００４】
また、上記の画像情報記録読取装置としては、種々の装置が提案されているが、記録および読取りの際の高速応答が可能な装置として、例えば記録光を透過する第１の電極層、記録光の照射を受けることにより導電性を呈する第１の光導電層、画像情報を静電潜像として記録する蓄電部、読取光の照射を受けることにより導電性を呈する第２の光導電層、読取光を透過する第２の電極層を、この順に有する画像記録媒体を有し、この画像記録媒体の第１の電極層と前記第２の電極層との間に直流電圧を印加した状態で、第１の光導電層に記録光を照射して、蓄電部に静電潜像を記録し、第２の光導電層に読取光を照射して、記録された静電潜像を信号として読み取る装置が提案されている（例えば特許文献２、３および４参照）。
【０００５】
【特許文献１】
米国特許第４５３５４６８号明細書
【０００６】
【特許文献２】
米国特許第５１９６７０２号明細書
【０００７】
【特許文献３】
米国特許第５９２５８９０号明細書
【０００８】
【特許文献４】
特開２０００−２８４０５７号公報
【０００９】
【発明が解決しようとする課題】
しかしながら、上記の画像情報記録読取装置においては、静電潜像を信号として読み取る際にも、電源から供給される直流電圧を画像記録媒体へ印加しているため、電源ノイズの影響により、読み取った信号のＳ／Ｎが低下するという問題がある。
【００１０】
本発明は、上記のような問題点に鑑みて、直流電圧を印加した状態で、記録および読取りを行う画像情報記録読取方法および装置において、読み取った信号のＳ／Ｎを向上することのできる画像情報記録読取方法および装置を提供することを目的とする。
【００１１】
【課題を解決するための手段】
本発明による画像情報記録読取方法は、画像情報を担持する記録光を透過する第１の電極層、前記記録光の照射を受けることにより導電性を呈する第１の光導電層、前記画像情報を静電潜像として記録する蓄電部、読取光または初期化光の照射を受けることにより導電性を呈する第２の光導電層、前記読取光および初期化光を透過する第２の電極層を、この順に有してなる画像記録媒体の前記第１の電極層と前記第２の電極層との間に直流電圧を印加した状態で、
前記初期化光により、前記第２の電極層を介して、前記第２の光導電層を照射して、前記蓄電部を初期化し、
前記記録光により、前記第１の電極層を介して、前記第１の光導電層を照射して、前記画像情報を前記蓄電部に静電潜像として記録し、
前記読取光により、前記第２の電極層を介して、前記第２の光導電層を照射して、前記静電潜像を信号として読み取る画像情報記録読取方法において、
前記静電潜像を読取る際には、前記画像記録媒体に蓄積された電荷を保持するコンデンサを用いて前記直流電圧を印加することを特徴とするものである。
【００１２】
また、上記画像情報記録読取方法は、画像記録媒体の前記第１の電極層と前記第２の電極層との間に直流電圧を印加した状態で、
前記前露光光により、前記第２の電極層を介して、前記第２の光導電層を照射して、前記蓄電部を充電することにより前記蓄電部を初期化し、
前記記録光により、前記第１の電極層を介して、前記第１の光導電層を照射して、前記蓄電部を放電することにより、前記画像情報を前記蓄電部に静電潜像として記録し、
前記読取光により、前記第２の電極層を介して、前記第２の光導電層を照射して、前記蓄電部を再充電し、
この再充電電流を検出することにより、前記静電潜像を信号として読み取りる画像情報記録読取方法において、
前記静電潜像を記録する際には、電源手段を用いて前記直流電圧を印加し、前記静電潜像を読取る際には、前記画像記録媒体に蓄積された電荷を保持するコンデンサを用いて前記直流電圧を印加することを特徴とするものであってもよい。
【００１３】
本発明による画像情報記録読取装置は、画像情報を担持する記録光を透過する第１の電極層、前記記録光の照射を受けることにより導電性を呈する第１の光導電層、前記画像情報を静電潜像として記録する蓄電部、読取光の照射を受けることにより導電性を呈する第２の光導電層、前記読取光および前記初期化光を透過する第２の電極層を、この順に有してなる画像記録媒体と、
前記初期化光を前記画像記録媒体へ照射する初期化光照射手段と、
前記読取光を前記画像記録媒体へ照射する読取光照射手段と、
前記画像記録媒体の前記第１の電極層と前記第２の電極層との間に直流電圧を印加する電圧印加手段とを備えてなり、
該電圧印加手段により前記直流電圧を印加した状態で、
初期化光により、前記第２の電極層を介して、前記第２の光導電層を照射して、前記蓄電部を初期化し、
前記記録光により、前記第１の電極層を介して、前記第１の光導電層を照射して、前記画像情報を前記蓄電部に静電潜像として記録し、
前記読取光により、前記第２の電極層を介して、前記第２の光導電層を照射して、前記静電潜像を信号として読み取る画像情報記録読取装置において、
前記電圧印加手段が、電源手段と、前記画像記録媒体に蓄積された電荷を保持するコンデンサと、前記電源手段により前記画像記録媒体へ前記直流電圧を印加する第１の状態または前記コンデンサにより前記画像記録媒体へ前記直流電圧を印加する第２の状態を選択する選択手段とを有し、
該選択手段が、前記蓄電部を初期化する際および前記静電潜像を記録する際には、前記第１の状態を選択し、前記静電潜像を読取る際には、前記第２の状態を選択するものであることを特徴とするものである。
【００１４】
また、上記画像情報記録読取装置は、前記電圧印加手段により前記直流電圧を印加した状態で、
前記初期化光により、前記第２の電極層を介して、前記第２の光導電層を照射して、前記蓄電部を充電することにより、前記蓄電部を初期化し、
前記記録光により、前記第１の電極層を介して、前記第１の光導電層を照射して、前記蓄電部を放電することにより、前記画像情報を前記蓄電部に静電潜像として記録し、
前記読取光により、前記第２の電極層を介して、前記第２の光導電層を照射して、前記蓄電部を再充電し、
この再充電電流を検出することにより、前記静電潜像を信号として読み取るものであり、
前記電圧印加手段の前記選択手段が、前記静電潜像を記録する際には、前記第１の状態を選択し、前記静電潜像を読取る際には、前記第２の状態を選択するものであってもよい。
【００１５】
前記読取光照射手段は、前記初期化光照射手段を兼ねているものであってもよい。また、前記コンデンサの静電容量は、前記画像記録媒体の静電容量の１００倍以上であることが好ましい。
【００１６】
なお、上記画像情報記録読取方法および装置において、「記録光」とは、記録すべき画像情報を担持した電磁波を意味する。具体例としては、被写体の画像情報を担持する記録用の放射線や、該記録用の放射線をシンチレータ（蛍光体）に照射することにより、シンチレータ内で発生される光などを挙げることができる。
【００１７】
また、「読取光」は、第２の光導電層における電荷の移動を可能として、電気的に静電潜像を読み取ることを可能とする電磁波であればよい。さらに、「初期化光」は、第２の光導電層における電荷の移動を可能とする電磁波であればよい。
【００１８】
「蓄電部」とは、第１の光導電層と第２の光導電層の間に設けられ、記録光に担持されている画像情報を静電潜像として記録するものであり、例えば第１の光導電層と第２の光導電層が直接積層されている場合であれば、第１の光導電層と第２の光導電層との界面が蓄電部となる。また第１の光導電層と第２の光導電層との間に、ひとつの電荷に対しては略導電体として作用し、かつ、該電荷と逆極性の電荷に対しては略絶縁体として作用する電荷輸送層が設けられている場合には、この電荷輸送層と第１の光導電層との界面あるいは電荷輸送層と第２の光導電層との界面が蓄電部となる。さらに、特許文献１に記載されているように、トラップ層を設けている場合には、このトラップ層内若しくはトラップ層と光導電層との界面が蓄電部となる。あるいは、特許文献４に示すように、潜像電荷を集中させて蓄電する微小導電部材等を設けることにより蓄電部を形成してもよい。
【００１９】
さらに、「読取光および初期化光に対して透過性を有する第２の電極層」とは、読取光または初期化光を透過させ第２の光導電層に電荷対を発生せしめる電極層であり、平板電極からなる層、あるいは線状電極を含む層等がある。第２の電極層が線状電極を含む層であり、線状電極の間を読取光および初期化光が透過できる場合には、必ずしも線状電極は読取光および初期化光に対して透過性を有する必要はない。
【００２０】
【発明の効果】
本発明による画像情報記録読取方法および装置によれば、画像記録媒体から静電潜像を信号として読取る際には、画像記録媒体に蓄積された電荷を保持するコンデンサを用いて画像記録媒体に直流電圧を印加するので、静電潜像を信号として読取る際に、読み取った信号に電源ノイズが重畳されることがなく、読み取った信号のＳ／Ｎが向上する。
【００２１】
また、読取光照射手段が、初期化光照射手段を兼ねる場合には、装置の小型化が可能となる。さらに、コンデンサの静電容量が、画像記録媒体の静電容量の１００倍以上であれば、画像記録媒体に生じたノイズにより、コンデンサが保持する電圧に影響が出にくく、安定した電圧を供給できる。
【００２２】
【発明の実施の形態】
以下、図面を参照して本発明の実施の形態について説明する。図１は本発明による画像情報記録読取方法を実施する画像情報記録読取装置の概略構成図である。まず、本実施の形態の画像情報記録読取装置により画像情報が記録される画像記録媒体１０について説明を行う。
【００２３】
この画像記録媒体１０は、記録光（例えば、Ｘ線等）Ｌ１に対して透過性を有する第１電極層１、この第１電極層１を透過した記録光Ｌ１の照射を受けることにより電荷対を発生し導電性を呈するａ−Ｓｅ（アモルファスセレン）等を主成分とする厚さ約０．５ｍｍの光導電性物質からなる第２光導電層２、第１電極層１に帯電される電荷（例えば負電荷）に対しては略導電体として作用し、かつ、該電荷と逆極性の電荷（上述の例においては正電荷）に対しては略絶縁体として作用するポリカーボネイト等からなる電荷輸送層３、読取光Ｌ２または初期化光Ｌ３の照射を受けることにより電荷対を発生して導電性を呈するａ−Ｓｅ（アモルファスセレン）等を主成分とする厚さ約０．５ｍｍの光導電性物質からなる第２光導電層４、読取光Ｌ２および初期化光Ｌ３に対して透過性を有する第２電極層５、読取光Ｌ２および初期化光Ｌ３に対して透過性を有するガラス基板等からなる支持体６をこの順に積層してなるものである。なお、電荷輸送層３と第２光導電層４との間の界面７は、本発明の蓄電部として機能するものである。また上記画像記録媒体１０には、４３０ｍｍ×４３０ｍｍの正方形状の画像の記録および読取り可能領域が設けられている。
【００２４】
ここで、第１電極層１としては、記録光Ｌ１に対して透過性を有するものであればよく、例えばＡｕ等の純金属を用いることができる。また、第２電極層５としては、読取光Ｌ２および初期化光Ｌ３に対して透過性を有するものであればよく、例えば可視光に対して透過性を持たせる場合には、光透過性金属薄膜として周知のＩＴＯ（Ｉｎｄｉｕｍ  Ｔｉｎ  Ｏｘｉｄｅ）等を用いることができる。
【００２５】
本発明の画像情報記録読取装置は、上記画像記録媒体１０に加え、該画像記録媒体１０に記録光Ｌ１の照射を行なう記録光照射部２０、画像記録媒体１０に記録された画像情報を読み取るための読取光の照射を行なう読取光照射部３０、画像情報の記録を行う前に、界面７を初期化するための初期化光Ｌ３の照射を行う初期化光照射部４０、初期化光Ｌ３の照射による初期化時、記録光Ｌ１の照射による記録時および読取光Ｌ２の照射による読取時に第１電極層１と第２電極層５との間に直流電圧を印加する直流電圧印加部５０、および読取光Ｌ２の照射による読取時に界面７の再充電電流を検出して、信号電圧として出力する画像信号取得部６０を備えている。
【００２６】
第１電極層１の上方には被写体７０が設置されており、被写体７０には記録光Ｌ１を遮断する遮断部７１ａと、記録光Ｌ１を透過する透過部７１ｂとが存在する。
【００２７】
記録光照射部２０は記録光Ｌ１を被写体７０に一様に照射するものである。読取光照射部３０は、波長４６０ｎｍで、細径に収束されたビーム形状のレーザパルス光である読取光Ｌ２を画像記録媒体１０の第２光導電層４へ順次主副走査しながら照射するものである。読取光Ｌ２の１つのパルス光が照射する領域が、１画素に該当する。初期化光照射部４０は、多数の発光体が面状に配列された面状光源であり、第２光導電層４を一様に照射するものである。なお発光体としては、波長４６０ｎｍで発光するＬＥＤが使用されているが、ＬＥＤの代わりにＥＬ（エレクトリック・ルミネセンス）を用いてもよい、あるいは多数本の水銀ランプを備えたものであってもよい。
【００２８】
直流電圧印加部５０は、第１の電極層１と第２の電極層５との間に所定の大きさの直流電圧を印加するものであり、第１電極層１に対して、抵抗５１、ソリッドステートリレーからなるスイッチ５２および印加電圧１０ｋＶの直流電源５３が直列に接続されている。また、第１電極層１とアース５５間には、抵抗５６およびソリッドステートリレーからなるスイッチ５７と、コンデンサ５８とが並列に接続されている。コンデンサ５８の耐圧は、２０ｋＶであり、その静電容量は１μＦである。なお、画像記録媒体１０の静電容量が約１ｐＦであるため、コンデンサ５８の静電容量は、画像記録媒体１０の静電容量の約１００倍となる。スイッチ５２は、発明の選択手段として機能するものであり、初期化時および記録時には、閉状態となり、直流電源５３を第１電極層１へ接続して、直流電源５３による直流電圧を第１電極層１と第２電極層５との間に印加し、読取り時には、開状態となって、コンデンサ５８による電圧を第１電極層１と第２電極層５との間に印加する。抵抗５６およびスイッチ５７は、画像信号の読取り終了後に、第１電極層１に蓄積されている電荷を放電するための回路である。
【００２９】
画像信号取得部６０は、電荷−電圧変換を行うチャージアンプであり、第２電極層５が反転入力端子に接続された演算増幅器６１と、演算増幅器６１の反転入力端子と出力間に接続された積分コンデンサ６２と、積分コンデンサ６２と並列接続されたリセットスイッチ６３とを有している。なお、演算増幅器６１および積分コンデンサ６２は、積分回路を構成するものであり、１画素の読取周期で、リセットスイッチ６３を閉状態として、積分コンデンサ６２を短絡することにより、第２電極層５から出力された信号電荷を電圧に変換して、不図示の信号処理回路へ出力するものである。なお演算増幅器６１の非反転入力端子は、接地されている。
【００３０】
次に、上記構成の本実施の形態の画像情報記録読取装置において、画像記録媒体１０に画像情報を静電潜像として記録し、さらに記録された静電潜像を読み取る作用について説明する。なお、画像記録媒体１０内に流出入または発生する負電荷および正電荷を図面上では−または＋を丸で囲んで表すものとする。
【００３１】
まず、スイッチ５２を閉状態として、第１電極層１と第２電極層５との間に、直流電源５３による１０ｋＶの直流電圧を印加して、図２の（Ａ）に示すように、第１電極層１と第２電極層５を帯電させる。
【００３２】
次に、初期化光照射部４０を発光させ、初期化光Ｌ３により第２光導電層４の全面を照射する。なお、この際には、第２光導電層４の全面に亘って略一様に十分な光量の初期化光Ｌ３が照射される。すると、第２光導電層４内で、初期化光Ｌ３による光導電効果により光量に応じて正負の電荷対が発生し、その内の正電荷が所定の電界分布に沿って第２光導電層４と電荷輸送層３との界面７に蓄積される。一方、第２光導電層４に生じた負電荷は第２電極層５に注入される正電荷と電荷再結合し消滅する。これにより、界面７が充電され、初期化が完了する（図２（Ｂ）参照）。なお、第１電極層１と界面７との間の距離は、第１電極層１と第２電極層５との間の距離の約半分であるため、第１電極層１と界面７に蓄積される蓄積電荷量は、第１電極層１と第２電極層５に蓄積される蓄積電荷量の約倍となる。また、直流電圧の印加と初期化光Ｌ３の照射との開始順序は、この例に限らず、上記とは逆に、初期化光Ｌ３の照射が開始された後に、直流電圧の印加が開始されてもよい。
【００３３】
次に、初期化光Ｌ３の照射を停止した後、第１電極層１と第２電極層５との間に直流電圧を印加した状態のままで、記録光照射部２０から記録光Ｌ１を射出させる。この記録光Ｌ１を被写体７０に爆射し、被写体７０を透過した被写体７０の画像情報を担持する記録光Ｌ１を画像記録媒体１０の第１光導電層２に照射する。
【００３４】
被写体７０の透過部７１ｂを透過した記録光Ｌ１により照射された第１光導電層２内では、図３の（Ａ）に示すように、記録光Ｌ１による光導電効果により線量に応じて正負の電荷対が発生する。その内の負電荷は、第１光導電層２内を移動して、電荷輸送層３を通りぬけ、電荷輸送層３と第２光導電層４の界面７まで移動する。界面７には、前述の充電（初期化）により、所定量の正電荷が蓄積されているので、移動してきた負電荷は正電荷と電荷再結合し消滅（放電）する。一方、第１光導電層２内で発生する正電荷は第１電極層１に引き寄せられて、負電荷と電荷再結合し消滅する。例えば、第１電極層１に１０個の負電荷が存在し、界面７に１０個の正電荷が蓄積されている領域で、記録光Ｌ１の照射により、第１光導電層２内で、４個の正負の電荷が発生すると、第１電極層１に蓄積されていた１０個の負電荷の内、４個の負電荷が放電して消滅する。同様に、界面７に蓄積されていた１０個の正電荷の内、４個の正電荷が放電して消滅する。なお、上記電荷の数としては、記録光Ｌ１が照射された領域、すなわち図２から図４に示す画像記録媒体１０の右半分に存在する電荷数について説明する。
【００３５】
一方、スイッチ５２は閉状態であり、第１電極層１と第２電極層５との間には直流電源５３による１０ｋＶの直流電圧が印加されている。第１電極層１と第２電極層５との間の距離は、第１電極層１と界面７との間の距離の約２倍であるため、第１電極層１および第２電極層５にはそれぞれ２個の正負の電荷が引き込まれる。このため、記録光Ｌ１の照射終了時には、図３の（Ｂ）に示すように、第１電極層１に負電荷が８個、界面７に正電荷が６個、第２電極層５に正電荷が２個分布する。なお、被写体７０の遮光部７１ａにより記録光Ｌ１が遮られた第１光導電層２では、電荷が発生しないため、電荷分布に変化が生じることはない。すなわち被写体７０の画像情報が界面７に静電潜像として記録される。
【００３６】
画像記録媒体１０から画像信号を読取る際には、まずスイッチ５２を開状態とする。このため、コンデンサ５８による電圧が第１電極層１と第２電極層５との間に印加される。このコンデンサ５８は直流電源５３と並列に接続されていたため、直流電源５３とほぼ等しい電圧である略１０ｋＶの電圧を第１電極層１と第２電極層５との間に印加する。
【００３７】
読取光照射部３０により、パルス状のビーム光である読取光Ｌ３が、支持体６および第２電極層５を介して、順次第２光導電層４を主副走査露光する。読取光Ｌ３が入射した第２光導電層４内では、正負の電荷対が発生し、その内の正電荷は界面７まで移動して、記録光Ｌ１の照射により放電されて消滅した正電荷を補うようになる。例えば図３の（Ｂ）に示すような放電状態であれば、図４の（Ａ）に示すように、４個の正電荷が界面７に移動して、図４の（Ｂ）に示すように、界面７を再充電する。
【００３８】
一方、第２光導電層４に生じた４個の負電荷は第２電極層５に存在する正電荷と電荷再結合し消滅する。しかし、この時、第２電極層５には２個の正電荷が存在するのみであるため、２個の正電荷が不足し、この分の正電荷が再充電電流として第２電極層５に流入する。第２電極層５に接続された画像信号取得部６０において、この再充電電流を検出し、信号電圧として出力する。
【００３９】
ここで、記録光Ｌ１を照射した際、すなわち記録の際に、界面７で放電される正電荷の数は記録光Ｌ１の照射量に略比例し、読取光Ｌ２を照射した際、すなわち読取りの際に、界面７へ再充電される正電荷の数は、界面７で放電された正電荷の数に略比例しているため、読取の際に再充電される正電荷の数に略比例した信号を検出することにより、読取光Ｌ２が照射された領域である画素に照射された記録光Ｌ１の照射量を知ることができる。すなわち、記録光Ｌ１の照射により、界面７に記録された静電潜像を、読取光Ｌ２を照射して信号として読み取ることができ、これらの信号に基づいて、画像が再生される。なお、この画像は、記録および読取を１回行えば、静止画像となり、連続的に記録および読取を行えば、動画像となる。また、動画像を取得する場合には、読取終了後には、初期化を行った状態と同様な電荷分布状態となるため、記録前の初期化を、前回の読取動作で兼用させ、初期化照射を省略してもよい。
【００４０】
画像記録媒体１０からの画像情報の読取りが終了した後、スイッチ５７を閉状態とすることにより、抵抗５６およびスイッチ５７を介して、第１電極層１が接地される。すなわち、第１電極層１と第２電極層５との間がアース５５を介して短絡される。
【００４１】
本実施の形態においては、画像記録媒体１０から静電潜像を信号として読取る際には、画像記録媒体１０に蓄積された電荷を保持するコンデンサ５８を用いて直流電圧を印加するので、読取りの際に電源ノイズが信号に重畳することがなく、読み取った信号のＳ／Ｎが向上する。また、コンデンサ５８の静電容量が、画像記録媒体１０の静電容量の１００倍以上であるため、画像記録媒体１０にノイズが生じても、コンデンサ５８が保持する電圧に影響が出にくく、安定した電圧を供給できる。
【００４２】
なお、読取光照射部３０を用いて、初期化光Ｌ３を照射することも可能であり、その場合には、初期化光照射部４０を省くことができ、装置の小型化が可能となる。
【００４３】
また、上記実施の形態による画像記録媒体１０は第１光導電層２と第２光導電層４との間に電荷輸送層３を設け、電荷輸送層３と第２光導電層４との界面７を蓄電部として用いたが、電荷輸送層をトラップ層に置き換えたものとしてもよい。トラップ層とした場合には、該トラップ層内またはトラップ層と光導電層の界面に静電潜像が記録される。また、このトラップ層と光導電層の界面に、画素毎に、マイクロプレートを設けるようにしてもよい。
【図面の簡単な説明】
【図１】本発明の実施の形態にかかる画像情報記録読取装置の概略構成図
【図２】画像記録媒体の初期化方法を説明する図
【図３】画像記録媒体に静電潜像を記録する方法を説明する図
【図４】画像記録媒体に記録された静電潜像を読み取る方法を説明する図
【符号の説明】
１    第１電極層
２    第１光導電層
３    電荷輸送層
４    第２光導電層
５    第２電極層
６    支持体
７    界面
１０    画像記録媒体
２０    記録光照射部
３０    読取光照射部
４０    初期化光照射部
５０    直流電圧印加部
５２    スイッチ
５３    直流電源
５８    コンデンサ
６０    画像信号取得部
７０    被写体
Ｌ１    記録光
Ｌ２    読取光
Ｌ３    初期化光
【図１】
2004165870.tif 000003
【図２】
2004165870.tif 000004
【図３】
2004165870.tif 000005
【図４】
2004165870.tif 000006